(57)【特許請求の範囲】
【請求項１】
画像情報記録媒体から得られる読取信号に基づいて画像情報を再生する画像情報再生装置であって、
前記読取信号から原画像を担うビデオ信号を再生する原画像生成手段と、
操作入力によって前記原画像に重畳するための手入力画像を作成し手入力画像信号を生成する手入力画生成手段と、
前記ビデオ信号及び前記手入力画像信号に基づいて前記原画像に前記手入力画像が重畳された合成画像を担う合成画像信号を生成する合成手段と、
前記手入力画像が重畳される原画像に対応するビデオ信号の前記記録媒体におけるアドレス情報に対応付けて当該手入力画像信号を記憶する記憶手段と、
を有することを特徴とする画像情報再生装置。
【請求項２】
前記原画像生成手段により生成されたビデオ信号の前記記録媒体におけるアドレス情報を再生アドレスとして取り込み、この再生アドレスが前記記憶手段に記憶されたアドレス情報と一致するときに当該一致アドレスに対応する手入力画像信号を前記記憶手段から読み出し、この読み出した手入力画像信号を前記合成手段に供給する制御手段をさらに有することを特徴とする請求項１記載の画像情報再生装置。
【請求項３】
前記記憶手段は、さらに前記手入力画像が重畳される原画像に対応するビデオ信号を担う記録媒体の識別情報に対応付けて、当該手入力画像信号を記憶することを特徴とする請求項２記載の画像情報再生装置。
【請求項４】
前記制御手段は、前記一致アドレスに対応する手入力画像信号に対応して記憶された前記識別情報が現在読取対象としている記録媒体に相当する場合に当該手入力画像信号を前記合成手段に供給することを特徴とする請求項３記載の画像情報再生装置。
【請求項５】
前記記憶手段は、さらに前記手入力画像の作成者識別情報に対応付けて、当該手入力画像信号を記憶することを特徴とする請求項２または３記載の画像情報再生装置。
【請求項６】
前記制御手段は、前記一致アドレスに対応する手入力画像信号に対応して記憶された前記作成者識別情報が現在ユーザ設定された再生対象としている作成者に相当する場合に当該手入力画像信号を前記合成手段に供給することを特徴とする請求項５記載の画像情報再生装置。
【請求項７】
前記記憶手段は、手入力画像信号毎にその手入力画像を自動的に前記原画像に重畳すべきか否かを示す表示制御情報を記憶することを特徴とする請求項２、３または５記載の画像情報再生装置。
【請求項８】
前記制御手段は、前記一致アドレスに対応する手入力画像信号に対応して記憶された前記表示制御情報が重畳すべきことを示す場合に当該手入力画像信号を前記合成手段に供給することを特徴とする請求項７記載の画像情報再生装置。
【請求項９】
前記記憶手段は、手入力画像信号毎にその手入力画像をユーザ選択の結果に応じて前記原画像に重畳すべきことを示す選択的重畳制御情報を記憶することを特徴とする請求項２、３、５または７に記載の画像情報再生装置。
【請求項１０】
前記制御手段は、前記一致アドレスに対応する手入力画像信号に対応して記憶された前記選択的重畳制御情報が有意である場合に、ユーザ選択の結果に応じて当該手入力画像信号を前記合成手段に供給することを特徴とする請求項９記載の画像情報再生装置。
【請求項１１】
前記記憶手段は、さらに前記合成手段において前記合成画像信号を生成する直前において前記ビデオ信号の再生状態が静止画再生状態とされたか否かを示す静止画モード情報に対応付けて、当該手入力画像信号を記憶することを特徴とする請求項２、３、５、７または９に記載の画像情報再生装置。
【請求項１２】
前記制御手段は、前記一致アドレスに対応する手入力画像信号に対応付けて記憶された静止画モード情報が静止画再生状態を指示する場合は、前記ビデオ信号の再生状態を静止画再生状態に制御することを特徴とする請求項１１記載の画像情報再生装置。
【請求項１３】
前記記憶手段は、手入力画像信号の所定グループ毎にその手入力画像を前記原画像に重畳すべきか否かを示すグループ別表示制御情報を記憶することを特徴とする請求項１ないし７のうちいずれか１つに記載の画像情報再生装置。
【請求項１４】
前記制御手段は、前記一致アドレスに対応する手入力画像信号の所定グループに対応付けて記憶されたグループ別表示制御情報が重畳すべきことを示す場合に、当該手入力画像信号を前記合成手段に供給することを特徴とする請求項１３記載の画像情報再生装置。
【請求項１５】
前記記憶手段の記憶内容は、操作入力に応じて変更可能であることを特徴とする請求項１、３、５、７、９、１１または１３記載の画像情報再生装置。
【請求項１６】
前記記憶手段の記憶内容は、操作入力に応答して表示可能であることを特徴とする請求項１、３、５、７、９、１１、１３または１５記載の画像情報再生装置。
【発明の詳細な説明】
【０００１】
【発明の属する技術分野】
本発明は、画像情報再生装置に関し、特に、記録媒体の読取信号に基づいて画像情報を再生する画像情報再生装置に関する。
【０００２】
【従来の技術】
現在、ＤＶＤ（ディジタル・ビデオ・ディスク）及びその記録情報を再生するシステムが飛躍的に普及されようとしている。
ＤＶＤは、汎用のディスク状記録媒体としては、これまでにない大容量の情報記録が可能であり、また、これに適用される読取技術も高度化が進んでいる。したがって、このようなＤＶＤにおいては、種々様々なそして豊富な画像や音声、コンピュータデータ等の情報を存分に記憶しかつその再生を良好に実現することができ、その使用用途もこれまでとは異なる広範な分野に広がる可能性を持っている。
【０００３】
ところが、今のところ、ＤＶＤの記録情報だけを再生するような限定的な使われ方が多く、上述したようなＤＶＤ本来のメリットを十分活かし切れていなかった。
また、もとよりＤＶＤに限らず、こうしたパッケージメディアの普及の割には活用用途の広がりが小さい、という面もある。
【０００４】
【発明が解決しようとする課題】
そこで本発明は、こうした点に鑑みてなされたものであり、その目的とするところは、画像情報記録媒体及びその記録情報再生技術を活かすことのできる画像情報再生装置を提供することにある。
【０００５】
【課題を解決するための手段】
上記目的を達成するために、本発明による装置は、画像情報記録媒体から得られる読取信号に基づいて画像情報を再生する画像情報再生装置であって、前記読取信号から原画像を担うビデオ信号を再生する原画像生成手段と、操作入力によって前記原画像に重畳するための手入力画像を作成し手入力画像信号を生成する手入力画生成手段と、前記ビデオ信号及び前記手入力画像信号に基づいて前記原画像に前記手入力画像が重畳された合成画像を担う合成画像信号を生成する合成手段と、前記手入力画像が重畳される原画像に対応するビデオ信号の前記記録媒体におけるアドレス情報に対応付けて当該手入力画像信号を記憶する記憶手段と、を有することを特徴としている。
【０００６】
上記画像情報再生装置において、前記原画像生成手段により生成されたビデオ信号の前記記録媒体におけるアドレス情報を再生アドレスとして取り込み、この再生アドレスが前記記憶手段に記憶されたアドレス情報と一致するときに当該一致アドレスに対応する手入力画像信号を前記記憶手段から読み出し、この読み出した手入力画像信号を前記合成手段に供給する制御手段をさらに有するものとすることができる。
【０００７】
ここで、前記記憶手段は、さらに前記手入力画像が重畳される原画像に対応するビデオ信号を担う記録媒体の識別情報に対応付けて、当該手入力画像信号を記憶することができ、前記制御手段は、前記一致アドレスに対応する手入力画像信号に対応して記憶された前記識別情報が現在読取対象としている記録媒体に相当する場合に当該手入力画像信号を前記合成手段に供給するようにすることができる。
【０００８】
また、前記記憶手段は、さらに前記手入力画像の作成者識別情報に対応付けて、当該手入力画像信号を記憶するようにし、前記制御手段は、前記一致アドレスに対応する手入力画像信号に対応して記憶された前記作成者識別情報が現在ユーザ設定された再生対象としている作成者に相当する場合に当該手入力画像信号を前記合成手段に供給するようにすることができる。
【０００９】
また、前記記憶手段は、手入力画像信号毎にその手入力画像を自動的に前記原画像に重畳すべきか否かを示す表示制御情報を記憶するようにし、前記制御手段は、前記一致アドレスに対応する手入力画像信号に対応して記憶された前記表示制御情報が重畳すべきことを示す場合に当該手入力画像信号を前記合成手段に供給するようにすることができる。
【００１０】
また、前記記憶手段は、手入力画像信号毎にその手入力画像をユーザ選択の結果に応じて前記原画像に重畳すべきことを示す選択的重畳制御情報を記憶するようにし、前記制御手段は、前記一致アドレスに対応する手入力画像信号に対応して記憶された前記選択的重畳制御情報が有意である場合に、ユーザ選択の結果に応じて当該手入力画像信号を前記合成手段に供給するようにすることができる。
【００１１】
また、前記記憶手段は、さらに前記合成手段において前記合成画像信号を生成する直前において前記ビデオ信号の再生状態が静止画再生状態とされたか否かを示す静止画モード情報に対応付けて、当該手入力画像信号を記憶するようにし、前記制御手段は、前記一致アドレスに対応する手入力画像信号に対応付けて記憶された静止画モード情報が静止画再生状態を指示する場合は、前記ビデオ信号の再生状態を静止画再生状態に制御するようにすることができる。
【００１２】
また、前記記憶手段は、手入力画像信号の所定グループ毎にその手入力画像を前記原画像に重畳すべきか否かを示すグループ別表示制御情報を記憶するようにし、前記制御手段は、前記一致アドレスに対応する手入力画像信号の所定グループに対応付けて記憶されたグループ別表示制御情報が重畳すべきことを示す場合に、当該手入力画像信号を前記合成手段に供給するようにすることができる。
【００１３】
さらに、前記記憶手段の記憶内容は、操作入力に応じて変更可能とも、また操作入力に応答して表示可能とすることもできる。
【００１４】
【発明の実施の形態】
以下、本発明の実施例を図面を参照しつつ詳細に説明する。
図１は、本発明の一実施例による画像情報再生装置の概略的な構成を示している。
図１において、ＤＶＤの如き大容量記録媒体であってかつ高品質情報再生技術を適用可能なディスク１は、スピンドルモータ２により回転されつつピックアップ３によって読取光としてのレーザ光が照射される。ディスク１に入射したこのレーザ光は、当該ディスクの情報記録面に達するとともにその記録情報に応じた状態の反射光となってピックアップ３に戻る。
【００１５】
ピックアップ３は、受光素子を含む光電変換回路を内蔵しており、ディスク１からの反射光を受光しかつその受光レベル及び状態に応じた光電変換をなす。その光電変換出力は、読取信号として再生増幅器４に供給される。
再生増幅回路４は、供給された読取信号を増幅し、増幅された読取信号をＡ／Ｄ（アナログ／ディジタル）変換器５に供給する。Ａ／Ｄ変換器５は、制御部９から指示されるサンプリングタイミング信号に基づいて入力信号をディジタル化する。Ａ／Ｄ変換器５によってディジタル化された読取信号は、音声デコーダ６及びビデオデコーダ７に供給される。
【００１６】
音声デコーダ６は、供給された読取信号に復号処理を施して音声データ信号を再生し、これを図示せぬ音声信号処理系へと転送する。
ビデオデコーダ７は、読取信号に対して、８−１６復調、デインターリーブ、誤り訂正及びＭＰＥＧ復号処理等を施してビデオデータ信号を再生し、フレームメモリ８に転送する。ビデオデコーダ７はまた、読取信号から同期信号を再生し制御部９に供給する。制御部９は、この同期信号に基づいてビデオデコーダ７においてなされる処理の動作クロックを発生する。ビデオデコーダ７は、ビデオデータ信号の他にも、読取信号に含まれるアドレス情報及びディスク識別情報を得、これらを制御部９に送る。
【００１７】
フレームメモリ８は、制御部９からの書込制御信号及び読出制御信号に従って、転送されたビデオデータ信号を少なくとも１フレーム分だけ書き込むとともに、書き込んだビデオデータ信号を順次読み出して合成回路１０に転送する。
ピックアップ３、再生増幅回路４、Ａ／Ｄ変換器５、ビデオデコーダ７及びフレームメモリ８は、原画像生成手段を構成する。
【００１８】
合成回路１０は、制御部９からの制御信号に応じて、フレームメモリ８から転送されたビデオデータ信号と後述される手入力画像信号とを合成したり、フレームメモリ８からのビデオデータ信号だけまたは手入力画像信号だけを出力したりする。ビデオデータ信号と手入力画像信号との合成の結果、当該ビデオデータ信号が担う主画像に手入力画像信号が担う副画像が重畳された画像を担う合成画像信号が得られる。この合成画像信号は、ビデオ再生回路１１によりアナログの例えばＮＴＳＣ方式コンポジットビデオ信号に変換され、出力端子を介してＣＲＴや液晶表示器などのディスプレイ装置１２に供給される。
【００１９】
制御部９は、操作入力部１３におけるユーザの手入力操作内容に対応した手入力信号を手入力画像生成回路１４に送る機能を有する。手入力画像生成回路１４は、この手入力信号が示す画像信号を生成し、これをフレームメモリ８の出力ビデオデータ信号に合成すべき手入力画像信号として合成回路１０に供給する。この手入力画像信号は、合成回路１０だけでなく、手入力画メモリ１５にも取り込まれ得る。
【００２０】
手入力画メモリ１５は、再生装置電源が断とされた後もその記憶内容を維持可能な例えばフラッシュメモリが適用されるのが好ましく、制御部９からの書込制御信号に基づいて手入力画像信号が種々の関連情報に対応づけて書き込まれるとともに、制御部９からの読出制御信号に基づいて手入力画像信号が読み出されて合成回路１０に供給しかつその手入力画像信号に対応する関連情報を制御部９に送る。
【００２１】
制御部９はまた、ピックアップ３の読取光をディスク１の記録トラックに追従させるトラッキング制御及びピックアップ３をディスク１主面の半径方向に移動させるスライダー制御並びに読取光のディスク１の記録面に対するフォーカス制御などを行う。これら制御は、ディスク１からの反射光ないし読取信号に基づいて行われるが、その詳細は図示されていない。
【００２２】
さらに制御部９は、スピンドルモータ２の回転制御を行う。これもディスク１からの反射光ないし読取信号に基づいて行われるが、その詳細は図示されていない。
なお、図１においては、説明の簡略化のために、制御部９を他のブロック全部の制御を行う１つのブロックにて示しているが、かかる他の各ブロックにつき適当なブロックに分割されてそれぞれに必要な制御を行う形態の構成で示すことができる。
【００２３】
次に、この画像情報再生装置の動作について詳しく説明する。
【００２４】
【手入力画情報の記憶】
図２は、制御部９が実行する手入力画像の取込処理を示している。
ここで、画像情報再生装置がディスク１の読取信号に基づいて或る静止画を再生しディスプレイ装置１２に表示している場合を例に挙げて説明する。
静止画の再生は、ビデオデコーダ７により再生されたビデオデータ信号の当該静止画に対応する１フレーム分が一旦フレームメモリ８に書き込まれるとともに、操作入力部１３またはディスク１の記録情報による静止画再生指令に応答して制御部９がフレームメモリ８に書き込まれた１フレームのビデオデータ信号を繰り返し読み出す制御を行うことによって達成される。この１フレーム分のビデオデータ信号は、合成回路１０を経てビデオ再生回路１１に供給され、当該１フレームに対応する静止画がディスプレイ装置１２に表示されることとなる。また、かかる静止画再生モードにおいては、ディスク１の読取状態が、ポーズ状態すなわちピックアップ３の読取光がディスク１の同一記録トラックを繰り返し走査する状態に保たれるものである。
【００２５】
ユーザは、かかる静止画を見ながら、操作入力部１３を使って当該静止画に上書きすべき画像（手入力画像）を入力する。
例えば、図３に示されるように、ビデオデコーダ７の出力のみによって原静止画Ｓ０を表示しているときに、直線や自由曲線、四角や楕円等の手入力画像を重畳描画して新たな静止画Ｓ０１を描画作成することができる。
【００２６】
かかる手入力画像を作成するための操作入力部１３としては、汎用コンピュータの入力手段として使われるマウスが好適であるが、併用するか否かに拘わらずキーボードやリモートコントロール装置を適用しても良い。キーボードは、多数のユーザに平易な文字入力手段として有効であり、リモートコントロール装置は、ユーザの操作姿勢を拘束しない利点がある。
【００２７】
このように、ユーザにより、操作入力部１３を用いて原静止画Ｓ０に当該ユーザ所望の画像を付け加えるような上書き入力操作が行われると、制御部９は、図２のサブルーチンに移行し、その上書き入力操作に応じて手入力画像とフレームメモリ８からのビデオデータ信号による原画像Ｓ０とによる合成画像Ｓ０１がディスプレイ装置１２に表示されるよう合成回路１０及び手入力画像生成回路１４を制御する（ステップＳ１）。
【００２８】
次いで制御部９は、操作入力部１３から手入力画表示解除指令が発せられたか否かを判別する（ステップＳ２）。手入力画表示解除指令が発せられていれば、手入力画の表示を止めて原画像Ｓ０のみの表示とするよう合成回路１０及び手入力画像生成回路１４を制御し（ステップＳ２Ｙ）、このサブルーチンを終了しメインルーチンに戻る。
【００２９】
これとは異なりステップＳ２において手入力画像表示解除指令が発せられていなければ、制御部９は、ステップＳ１において作成した合成静止画Ｓ０１及びその関連情報を保存するため保存指令が発せられたか否かを判別する（ステップＳ３）。この保存指令は、ユーザにより操作入力部１３から発せられる。保存指令が発せられていない場合、制御部９は、ステップＳ１に移行して当該合成静止画Ｓ０１の表示を継続する。
【００３０】
ステップＳ３において、保存指令が発せられていれば、制御部９は、ステップＳ１において作成した合成静止画Ｓ０１中の手入力画情報及び合成静止画Ｓ０１の関連情報を保存するための処理を行う（ステップＳ４）。
詳述すると、この処理においては、各種情報が手入力画メモリ１５に図４に示されるような対応付けで記憶される。
【００３１】
すなわち、制御部９は、ディスク１の識別情報（ＩＤ）と、手入力画を描画した人（作成者）を識別する描画者ＩＤと、合成静止画Ｓ０１の元の静止画Ｓ０のディスク１における記録開始位置（始点）及び記録終了位置（終点）を示す各アドレスと、手入力画像の描画直前にポーズ指令が発せられたか否かを示すポーズ情報といった関連情報にそれぞれ対応付けて手入力画像情報を手入力画メモリ１５に記憶する。ポーズ情報は、換言すれば、静止画モード情報であり、合成回路１０が合成画像信号を生成する直前においてフレームメモリ８をして静止画再生状態に設定せしめられたか否かを示すものである。
【００３２】
ディスクＩＤ及び合成静止画Ｓ０１の始点及び終点アドレスは、ビデオデコーダ７から得られる。ディスクＩＤは、ディスクに記録されているいわゆるソフトの情報を識別するものと言って良く、例えば或る教科の学習ソフトと他の教科の学習ソフトとを区別するものである。また、始点及び終点アドレスは、ビデオ信号のフレームに対応したものとするのが平易である。
【００３３】
描画者ＩＤは、手入力画を描画する際または後の変更処理において与えられたものである。ポーズ情報は、基本的に、手入力画像の描画直前におけるポーズ指令の有無情報を制御部９が一旦その内部メモリに取り込んでおきこれを読み出して得られる情報であるが、後の変更処理において変更は可能である。
手入力画像情報はまた、上記関連情報に基づいたグループ分けがなされ、後述される手入力画像再生ルーチンにおいてどのグループの手入力画像を表示するかについて優先付けされる。本例においては、図４に示されるように、手入力画像情報は、描画者ＩＤ毎にグループ分けされており、手入力画像再生ルーチンにおいて最優先で表示すべきものとして選択されるグループの手入力画像情報に対応して論理値１が、それ以外のグループに対応して論理値０が表示制御主情報（グループ別表示制御情報）として記憶される。
【００３４】
さらに手入力画メモリ１５には、かかる関連情報として、手入力画像情報毎に表示制御副情報が記憶される。表示制御副情報は、手入力画像再生ルーチンにおいて自動的に原画像に重畳描画することを指示するときは論理値１が、手入力画像再生ルーチンにおいてユーザにより指定された場合にのみ原画像に重畳描画することを指示するときは選択的重畳制御情報として論理値０が割り当てられる。
【００３５】
こうして合成静止画Ｓ０１に必要な情報を手入力画メモリ１５に記憶すると、制御部９は、サブルーチンを終了してメインルーチンに戻る。
【００３６】
【手入力画関連情報の表示／変更】
手入力画メモリ１５に記憶された関連情報は、ユーザ確認のため、ディスプレイ装置１２において表示させることができる。これは、制御部９が手入力画メモリ１５に対し読出制御を行うとともに、合成回路１０に対しフレームメモリ８からのビデオデータ信号によらずに当該手入力画メモリ１５の読出情報を表示させる如く制御することによって達成される。この際、キャラクタージェネレータを介して関連情報をディスプレイ装置１２に送るようにすれば、テキスト形式の一覧にて表示させることができる。
【００３７】
ユーザは、このようにして表示された情報を見ながら、各情報の変更をなすことができ、また、表示された情報以外の情報を表示させるようにすることもできる。これには、操作入力部１３が使用される。
すなわち、ユーザがこの操作入力部１３において表示すべきグループの指定を行うと、制御部９はこれを受けて手入力画メモリ１５における指定グループの情報を読み出すよう制御する。これにより、ディスプレイ装置１２には、当該指定グループの手入力画像情報の関連情報が例えばアドレス順に表示されることとなる。そしてこの関連情報の表示下において、ユーザが操作入力部１３をして１つの関連情報を選択しその内容を変更せしめる入力を行うと、制御部９はその変更情報を手入力画メモリ１５に送り、手入力画メモリ１５の書き換えがなされるのである。
【００３８】
【手入力画情報の再生】
次に、手入力画像の再生ルーチンについて説明する。
図５は、このサブルーチンの処理手順を示しており、所定のタイミングにて図示せぬメインルーチンから本サブルーチンが呼び出されると、制御部９は、先ず手入力画像の再生モードに設定されているか否かを判別する（ステップＳ１１）。当該再生モードに設定されていなければ、このサブルーチンを終了し、メインルーチンに戻る。
【００３９】
再生モードが設定されている場合、制御部９は、現在装着されているディスク１のＩＤをビデオデコーダ７の出力データより得て、このディスクＩＤに一致するディスクＩＤの情報が手入力画メモリ１５に記憶されているか否かを判別し（ステップＳ１２）、一致ディスクＩＤの情報がなければ、このサブルーチンを終了し、メインルーチンに戻る。
【００４０】
ステップＳ１２において一致ディスクＩＤの情報があれば、制御部９は、当該ディスクＩＤに対応する関連情報のうちで現在設定されている描画者ＩＤに対応する関連情報を手入力画メモリ１５から読み出して、内部メモリにこれを取り込む（ステップＳ１３）。
そして制御部９は、現在再生している画像のビデオデータ信号に対応するディスク１上のアドレス（以下、再生アドレスと呼ぶ）が上記内部メモリに取り込まれた始点アドレスのいずれかと一致するか否かを判別する（ステップＳ１４）。ここで両者が一致しないことを判別すると、制御部９は、非合成表示ステップＳ１４Ｎに移行してフレームメモリ８からのビデオデータ信号のみによる画像表示を行ってこのサブルーチンを終了する。
【００４１】
これに対し、ステップＳ１４において両者が一致していることを判別すると、制御部９は、合成表示ステップＳ１５に移行する。この合成表示ステップＳ１５においては、当該一致アドレスに対応する手入力画情報が手入力画メモリ１５から読み出され、合成回路１０がフレームメモリ８からのビデオデータ信号と読み出された手入力画情報による信号とを合成し原画像と手入力画とが重畳された画像を担う合成画像信号をディスプレイ装置１２側へ供給するような制御が行われる。
【００４２】
かかる合成表示の後、制御部９は、当該一致アドレスに対応する手入力画情報のポーズ情報を確認する（ステップＳ１６）。これは、先述した図４からも分かるように、手入力画像情報にはそれぞれその描画直前においてポーズされ静止画再生モードとされたか否かを示すポーズ情報が対応づけられており、制御部９は、これをメモリ１５の記憶内容に基づいて判断する。
【００４３】
その結果、ポーズ有りを示していれば、ポーズ状態とすべくディスク１の回転制御及びピックアップ３の走査制御並びにフレームメモリ８の書込読出制御を行う（ステップＳ１７）。
ポーズ状態とされた後は、制御部９は、操作入力部１３からそのポーズ状態を解除させるためのポーズ解除指令が発生されたか否かを判別する（ステップＳ１８）。そしてこの解除指令が発せられていなければ、ステップＳ１７に移行してポーズ状態を継続せしめ、発せられたならば通常の再生状態に戻すべくディスク１の回転制御及びピックアップ３の走査制御並びにフレームメモリ８の書込読出制御を行う（ステップＳ１９）。
【００４４】
ステップＳ１６において当該ポーズ情報がポーズ無しを示していた場合及びステップＳ１９のポーズ解除処理が済んだ後は、再生アドレスがステップＳ１５において合成表示に使われた手入力画像に対応するアドレス範囲（始点アドレスから終点アドレスまでの範囲）から外れているか否かが判別される（ステップＳ２０）。
【００４５】
外れていないことを判別すると、制御部９は、ステップＳ１５による合成表示を保つべくステップＳ２０が繰り返される。他方、外れていることを判別すると、制御部９は、非合成表示ステップＳ１４Ｎに移行してフレームメモリ８からのビデオデータ信号のみによる画像表示を行ってこのサブルーチンを終了する。
ステップＳ１６ないしＳ１９の処理によれば、図６に示されるような画像再生をなすことができる。
【００４６】
すなわち、「１＋１＝２」という原画像にその「２」の答えの部分を隠すような四角枠内塗りつぶし手入力画像を重畳した場合、当該手入力画像アドレスにおいて最初にポーズを掛けて原画像を静止画再生せしめ、ユーザによる指令があった場合に初めてポーズを解除し、再生アドレスを進ませて当該手入力画像アドレスから外れたときになって答えである「２」を表示させるようにすることができるのである。
【００４７】
なお、図４において説明したように、手入力画像情報毎に表示制御副情報が記憶されており、ステップＳ１５においては、この表示制御副情報を確認し、それが自動描画を指示するときは対応する手入力画像を原画像に重畳して表示するようにする。一方、選択描画を指示するときは、別のサブルーチンによって設定された表示／非表示の情報に応じて、対応する手入力画像を原画像に重畳させたりさせなかったりする。かかる別のサブルーチンは、操作入力部９からのユーザによる指令に基づくものであり、選択描画を指示されている手入力画像を原画像に重畳させるか否かを任意に決定する。
【００４８】
以上説明した実施例によれば、ディスク１に記録された原画像情報に対してユーザが所望の画像を自在に重畳して書き加えることができるとともに、この書き加えた情報（手入力画像）を保存することができる。そして、保存された手入力画像は、ディスク１から改めて画像情報を再生する際に元どおりに対応する原画像情報に重畳して表示させることができる。これにより、学習用のソフト等において、補足説明をしたり、重要箇所をマークしたり、或いは問題の答えを隠したりするような用途に極めて好適となるのである。勿論、学習用ソフトに限らず、上述した実施例の機能は、色々な用途に使えることは言うまでもない。
【００４９】
また、上記実施例においては、静止画に手入力画像を書き加えこれを元通りに再生する如き態様の説明をしたが、静止画に限らず、動画に対しても同様に適用可能である。
さらに、上記実施例においては、記録媒体としてＤＶＤについて説明したが、ＣＤ（コンパクト・ディスク）を含め他の画像記録媒体に対し本発明が適用可能である。
【００５０】
この他にも、上記実施例においては種々の手段を限定的に説明したが、当業者の設計可能な範囲にて適宜改変することも可能である。
【００５１】
【発明の効果】
以上詳述したように、本発明の画像情報再生装置によれば、画像情報記録媒体及びその記録情報再生技術を活かすことができる。そして、かかる記録媒体の使用用途を広げることができる。
【図面の簡単な説明】
【図１】本発明の一実施例による画像情報再生装置の概略的構成を示すブロック図である。
【図２】図１の画像情報再生装置における制御部が実行する手入力画像の取込ルーチンを示すフローチャートである。
【図３】図１の画像情報再生装置においてなされる手入力画像の取込形態を示すタイムチャートである。
【図４】図１の画像情報再生装置における手入力画メモリの記録形態を示す図である。
【図５】図１の画像情報再生装置における制御部が実行する手入力画像の再生ルーチンを示すフローチャートである。
【図６】図１の画像情報再生装置においてなされる手入力画像の特徴的再生形態を示すタイムチャートである。
【符号の説明】
１  ディスク
２  スピンドルモータ
３  ピックアップ
４  再生増幅回路
５  Ａ／Ｄ変換器
６  音声デコーダ
７  ビデオデコーダ
８  フレームメモリ
９  制御部
１０  合成回路
１１  ビデオ再生回路
１２  ディスプレイ装置
１３  操作入力部
１４  手入力画生成回路
１５  手入力画メモリ
【図１】
0003891317.tif 000002
【図２】
0003891317.tif 000003
【図３】
0003891317.tif 000004
【図４】
0003891317.tif 000005
【図５】
0003891317.tif 000006
【図６】
0003891317.tif 000007